(57)【特許請求の範囲】
【請求項１】
前輪（２），（２）及び後輪（３），（３）を具備した車体フレーム（４）の前後中間部に背受フレーム（５）の下部を枢着し該背受フレーム（５）が前後回動自在となるよう取り付け、該背受フレーム（５）の上下略中間部に側面視において略Ｌ字状に構成した座部フレーム（６）の後上部を枢着し該座部フレーム（６）が着座可能な状態から上方回動自在とし、前記車体フレーム（４）の下方側及び背受フレーム（５）の後方側に位置するようにチルト手段（７）及び折りたたみ手段（８）を設けるに、前記背受フレーム（５）の下部には後下部に突出するように取付プレート（２９）を固着し、該取付プレート（２９）に角度設定プレート（３１）及びロックプレート（３５）を回動自在に枢着する一方、前記角度設定プレート（３１）には略平行となるように配置された複数の係脱孔（３１ｃ），（３１ｄ），（３１ｅ）の一端側を摺動孔（３１ｂ）で連結して前記車体フレーム（４）の下方側に固着したピン（３３）が相対的にこの摺動孔（３１ｂ）内を移動し、何れかの係脱孔（３１ｃ），（３１ｄ），（３１ｅ）に係脱することで前記背受フレーム（５）を保持するよう構成するとともに、座部フレーム（６）が着座可能な状態では、前記ロックプレート（３５）に設けた矩形状の切欠き部（３５ａ）により前記ピン（３３）が角度設定プレート（３１）の摺動孔（３１ｂ）の一部と係脱孔（３１ｃ），（３１ｄ）内を移動するように範囲を制限し、前記角度設定プレート（３１）の後端部に固着したペタル部材（３４）を踏み込んで何れかの係脱孔（３１ｃ），（３１ｄ）から前記ピン（３３）を摺動孔（３１ｂ）に移動させてもチルト操作またはチルト状態からの復帰操作のみ可能となるよう構成してなるチルト手段（７）と、座部フレーム（６）の上方回動に連動して前記ロックプレート（３５）を回動させることで前記ピン（３３）の移動範囲の制限が解除されるよう構成し、この状態で前記摺動孔（３１ｂ）の全範囲を前記ピン（３３）が移動できる状態となり、背受フレーム（５）を前方へ倒伏させることで、背受フレーム（５）と座部フレーム（６）及び車体フレーム（４）が略平行に重なり合うように折り畳まれるように構成してなる折りたたみ手段（８）が具備されたことを特徴とする入浴介助用の車椅子（１）。
【発明の詳細な説明】
【０００１】
【発明が属する技術分野】
本発明は、入浴介助に使用する車椅子のチルト手段及び折りたたみ機構に関するものである。
【０００２】
【従来の技術】
入浴介助に使用する車椅子には、座部と背もたれ部を有する座席部と前輪部と後輪部と転倒防止用のアーム部により形成され、後輪部に座席部を回動可能に支持する座席支持部を形成し、前輪部に座席部を受ける座席受部を形成している。さらに、後輪部にはアーム部を回動可能に支持するアーム支持部を形成し、前輪部と後輪部間に回動可能に支持し回動を固定する回動固定部を形成している。そして、座席部とアーム部間に、座部を水平状態にすべく付勢する付勢手段を形成するとともに座席部を所定状態に固定する付勢固定部を形成している。これによって極めて手軽に座席部が傾斜、昇降し、後方への転倒防止もできる車椅子がある（例えば、特許文献１参照）。
【０００３】
【特許文献１】
特開平７−３１６５６号公報
【０００４】
しかしながら、上記従来の車椅子には折りたたみの機能がなく、収納スペースが広く必要であるという欠点があった。
さらに、座席部の傾斜を行うために使用される付勢手段が比較的高価であり、安価な車椅子を提供するための障害となってしまう恐れがある。
【０００５】
【発明が解決しようとする課題】
そこで、本願発明が解決しようとする問題点は、入浴介助を目的とする車椅子において被介護者の洗体を行う際に、被介護者の前方へのずれを防止するためにチルト機能を付加するとともに、この車椅子を使用しないときにはコンパクトに折りたたみできる折りたたみ機能を備えた車椅子を安価に提供することである。
【０００６】
【課題を解決するための手段】
本発明は、前輪（２），（２）及び後輪（３），（３）を具備した車体フレーム（４）の前後中間部に背受フレーム（５）の下部を枢着し該背受フレーム（５）が前後回動自在となるよう取り付け、該背受フレーム（５）の上下略中間部に側面視において略Ｌ字状に構成した座部フレーム（６）の後上部を枢着し該座部フレーム（６）が着座可能な状態から上方回動自在とし、前記車体フレーム（４）の下方側及び背受フレーム（５）の後方側に位置するようにチルト手段（７）及び折りたたみ手段（８）を設けるに、前記背受フレーム（５）の下部には後下部に突出するように取付プレート（２９）を固着し、該取付プレート（２９）に角度設定プレート（３１）及びロックプレート（３５）を回動自在に枢着する一方、前記角度設定プレート（３１）には略平行となるように配置された複数の係脱孔（３１ｃ），（３１ｄ），（３１ｅ）の一端側を摺動孔（３１ｂ）で連結して前記車体フレーム（４）の下方側に固着したピン（３３）が相対的にこの摺動孔（３１ｂ）内を移動し、何れかの係脱孔（３１ｃ），（３１ｄ），（３１ｅ）に係脱することで前記背受フレーム（５）を保持するよう構成するとともに、座部フレーム（６）が着座可能な状態では、前記ロックプレート（３５）に設けた矩形状の切欠き部（３５ａ）により前記ピン（３３）が角度設定プレート（３１）の摺動孔（３１ｂ）の一部と係脱孔（３１ｃ），（３１ｄ）内を移動するように範囲を制限し、前記角度設定プレート（３１）の後端部に固着したペタル部材（３４）を踏み込んで何れかの係脱孔（３１ｃ），（３１ｄ）から前記ピン（３３）を摺動孔（３１ｂ）に移動させてもチルト操作またはチルト状態からの復帰操作のみ可能となるよう構成してなるチルト手段（７）と、座部フレーム（６）の上方回動に連動して前記ロックプレート（３５）を回動させることで前記ピン（３３）の移動範囲の制限が解除されるよう構成し、この状態で前記摺動孔（３１ｂ）の全範囲を前記ピン（３３）が移動できる状態となり、背受フレーム（５）を前方へ倒伏させることで、背受フレーム（５）と座部フレーム（６）及び車体フレーム（４）が略平行に重なり合うように折り畳まれるように構成してなる折りたたみ手段（８）が具備されたことを特徴とする。
【０００７】
請求項１記載の発明によれば、角度設定プレート（３１）の後部に固着されたペタル部材（３４）を踏み込むことによって、ロックプレート（３５）の矩形状の切欠き部（３５ａ）内に位置する角度設定プレート（３１）の係脱孔（３１ｃ），（３１ｄ）及び摺動孔（３１ｂ）内でのみピン（３３）が相対的に移動可能な状態となっており、誤って折りたたまれる危険性がない。このように簡単な操作で安全にチルトでき、被介護者の背中などを洗う際には被介護者が前方へ滑り落ちる危険性がなく、前記係脱孔（３１ｄ）から係脱孔（３１ｃ）にピン（３３）を係脱させることで安全にチルトできる。さらに、この車椅子（１）を折りたたむには座部フレーム（６）を上方回動させ、ロックプレート（３５）によるロックを解除しなければならず、乗車している状態では折りたたむことができないよう構成されており、誤動作させる恐れがない。すなわち、簡単な構成でありながら、非常に安全な車椅子（１）であるという効果を奏する。
【０００８】
【発明の実施の形態】
つぎに、本発明の実施形態に係る入浴介助を目的とする車椅子１について図面に基づいて説明する。
本発明の車椅子１は、第１図乃至第３図に示すように、主として前輪２，２及び後輪３，３を具備した車体フレーム４と、この車体フレーム４に回動自在に枢着される背受フレーム５と、この背受フレーム５に回動自在に枢着される座部フレーム６と、前記背受フレーム５及び車体フレーム４間に具備されるチルト手段７及び、座部フレーム６に設けた折りたたみ手段（チルト範囲のロック解除手段）８とから主に構成されている。
【０００９】
まず、上記車体フレーム４について詳述する。この車体フレーム４は、平面視において略コ字状に曲折されたフレームパイプ９の前端部に前輪取付ボス１０，１０を固着し、さらに該取付ボス１０，１０前面にステップ支持パイプ１１，１１を固着している。また、フレームパイプ９の前後方向やや後方寄りに後輪取付ボス１２，１２を固着し、さらに、フレームパイプ９の前後方向略中間部には左右方向の補強パイプ１３が固着され、この補強パイプ１３には背受フレーム５の支持部材となる背受支持プレート１４，１４がそれぞれ固着されている。この背受支持プレート１４には空孔部１４ａが穿たれており、後述する背受フレーム５の取付部となる。そして、前記前輪取付ボス１０，１０には、旋回及び転動自在なキャスター型の前輪２，２が螺着され、後輪取付ボス１２，１２には後輪３，３を転動自在に支承している。さらに、ステップ支持パイプ１１，１１にはステップ１５，１５が軸承されている。
【００１０】
そして、前記背受フレーム５は左右方向の横パイプ１６に縦パイプ１７，１７を離間させ固着し、さらに上端部にはハンドルパイプ１８を固着したもので、縦パイプ１７，１７の略中間部には後述する座部フレーム６を枢着する筒体１９，１９が固着されている。さらに、この筒体１９，１９には、それぞれテスリ２０，２０の回動範囲を規制する円弧状の空孔部２１ａを備えたプレート２１が固着されている。
なお、２２，２２はグリップで、２３は背受マットである。
このように構成された背受フレーム５は、上記背受支持プレート１４，１４間に配され、ピン２４により回動自在に枢支されている。
【００１１】
次に、上記背受フレーム５の筒体１９，１９間に回動自在に取り付けられる座部フレーム６について説明する。この座部フレーム６は平面視において、略矩形状となる座席部２５が形成されるように座部パイプ２５ａ，２５ｂを固着してなるものである。詳述すると、この座部パイプ２５ａ，２５ｂは図示省略しているが、平面視において略矩形状で後方中間部を開放した座部パイプ２５ａに、側面視において略Ｌ字状に曲折した座部パイプ２５ｂ，２５ｂを固着したものである。そして、座部パイプ２５ｂ，２５ｂの後方上端部に基部パイプ２６が固着され、前記筒体１９，１９及び該基部パイプ２６にピン２７を挿通することによって座部フレーム６が回動自在となるよう枢着されている。なお、背受フレーム５の縦パイプ１７，１７と座席部２５を形成する座部パイプ２５ａ後端面の接触によって座席部２５の下方回動が規制されるよう構成されている。
なお、この座部フレーム６の座席部２５上には座部マット２８が止着されている。
【００１２】
なお、上記テスリ２０，２０は、上記筒体１９，１９に挿通止着されており、このテスリ２０に固着されているピン２０ａが上記プレート２１の空孔部２１ａ内を移動する範囲において回動自在に構成されている。
【００１３】
上述のように、それぞれが回動自在に構成された車体フレーム４と、背受フレーム５と、座部フレーム６の間には、チルト手段７が設けられ、車体フレーム４に対して背受フレーム５と座席フレーム６が一定角度を保持した状態で前後に傾倒可能に構成されている。
このチルト手段７は、上記背受フレーム５の横パイプ１６に固着されたＵ字状取付プレート２９を備えている。また、車体フレーム４の補強パイプ１３には空孔部３０ａが穿たれたプレート３０が固着されている。そして、前記Ｕ字状取付プレート２９内に、角度設定プレート３１を揺動自在にピン３２により枢着している。この角度設定プレート３１には、後部に前記ピン３２が挿通される空孔部３１ａが穿たれ、その前方部に摺動孔３１ｂが設けられ、この摺動孔３１ｂの前後端から上側に向けて係脱孔３１ｃ，３１ｅが設けられるとともに、該係脱孔３１ｃ寄りの位置に係脱孔３１ｄが設けられている。なお、これら係脱孔３１ｃ，３１ｄ，３１ｅは略平行に配置されるとともに、前記摺動孔３１ｂに対して略直交するように配置されている。このように構成された角度設定プレート３１の空孔部３１ａをピン３２でＵ字状取付プレート２９に回動自在に取り付けるとともに、車体フレーム４側のプレート３０に止着されたピン３３が該角度設定プレート３１の摺動孔３１ｂと係脱孔３１ｃ，３１ｄ，３１ｅ内を相対的に移動できるように取付けられている。
そして、上記角度設定プレート３１の後端部には、ペタル部材３４が固着されており、該ペタル部材の操作により、ピン３３と係脱孔３１ｃ，３１ｄの係合が解除可能に構成されている。
【００１４】
次に、折りたたみ手段８について説明する。この折りたたみ手段８は上述したチルト手段７を利用するもので、座部フレーム６の前方部を持ち上げることによって角度設定プレート３１の係脱孔３１ｃあるいは係脱孔３１ｄとピン３３との係合を解除し、背受フレーム５を前方回動自在とし、折りたたみできる構成としたものであるとともに、チルト操作を行う際に誤って背受フレーム５が前方回動することを防止するチルトロック機能を備えたものである。
詳述すると、上記チルト手段７を構成する角度設定プレート３１とＵ字状取付プレート２９間には、略コ字状で側面視において下方開放した切欠き部３５ａが形成されたロックプレート３５を配し、ピン３２によって回動自在に枢支される。なお、前記切欠き部３５ａは上記角度設定プレート３１の係脱孔３１ｃ，３１ｄと摺動孔３１ｂ間、すなわちチルト操作する際にピン３３が相対的に移動する範囲を切り欠いたもので、該切欠き部３５ａの前端部がストッパー部となり、チルト操作時に誤って背受フレーム５が前方に回動されないようになっている。
なお、該ロックプレート３５の後部上面とＵ字状取付プレート２９間にはスプリング３６が張設されており、ロックプレート３５の前端部が角度設定プレート３１に接する方向に付勢している。
【００１５】
つぎに、上記ロックプレート３５のロックの解除方法について説明する。上記座部フレーム６の基部パイプ２６後端面に軸受部材３７が固着され、ロックプレート３５後部にはピン３８及びカラー３９が固着されている。このカラー３９には作動杆４０が摺動自在に挿通されるとともに、軸受部材３７側を作動杆４０が回動自在に挿通固定されている。さらに、作動杆４０のやや下方寄りには凸部４０ａが設けられており、前記カラー３９と凸部４０ａ間にスプリング４１が挿通されている。
【００１６】
つぎに、上述した入浴介助用の車椅子１の作用について説明する。まず、被介護者が当該車椅子１に乗車した通常の状態をピン３３が係脱孔３１ｄに係合した状態とする。この状態で被介護者の洗体を行う。そして、被介護者の背中を洗う際には、一般的にテスリ２０に上半身を寄りかからせ、背中と背受フレーム５及び背受マット２３との間に隙間をとる。この状態では被介護者が前方へ滑り落ちる危険性があるため、チルト操作することにより座部フレーム６に角度をつけることによって被介護者の滑りを防止することができる。この操作方法は、ペタル部材３４を踏み込むことによって、角度設定プレート３１の前方部を上方回動させ、ピン３３と係脱孔３１ｄとの係合を解除した後、背受フレーム５を支えながら後方へ傾倒させれば係脱孔３１ｃとピン３３が係合し、座部フレーム６と背受フレーム５からなる座席部が後方傾倒した状態で保持される。（第４図及び第７図参照）
逆に、チルトした状態から通常の状態に戻す場合にも、ペタル部材３４を踏み込み係脱孔３１ｃとピン３３との係合を解除した後、背受フレーム５を前方回動させれば、ピン３３がロックプレート３５の切欠き部３５ａの前端面に接触するまで背受フレーム５を起すことができ、この状態でペタル部材３４から足を放しておけば自然に係脱孔３１ｄとピン３３が係合する。
このとき、ロックプレート３５前端部はスプリング３６によって付勢されており角度設定プレート３１に接した状態のまま回動するので、折りたたむ状態まで背受フレーム５を前方回動することはできない。すなわち、チルト操作する際には、誤って折りたたまる恐れがなく、容易な操作で安全にチルト操作を行うことができる。
【００１７】
つぎに、折りたたみの操作について説明する。折りたたむ際には、座部フレーム６の前部を上方回動することによって、軸受部材３７が下方回動し、作動杆４０がカラー３９に対して下方へ摺動する。そして、座部フレーム６を一定角度以上回動させると、スプリング３６の反発力によってロックプレート３５がピン３２を回動中心として前方部が上方回動する。このとき、ロックプレート３５の後部と角度設定プレート３１が接するまで回動されると第８図に示すように係脱孔３１ｅまでの摺動孔３１ｂをピン３３が相対的に移動可能な状態となり、背受フレーム５を前方回動させることができる。折りたたんだ状態が第５図に示す状態であり、狭い収納場所であっても何ら問題なく収納しておくことができる。
そして、この状態から使用状態に戻す際には、ペタル部材３４を踏み込み係脱孔３１ｅとピン３３の係合を解除し、背受フレーム５を後方回動するだけでよい。背受フレーム５を後方回動すると、ピン３３が相対的に摺動孔３１ｂ内を移動し、ロックプレート前端部の斜部に接触し、ロックプレート３５が上方回動され、係脱孔３１ｃあるいは係脱孔３１ｄにピン３３が係合するよう構成されている。
【００１８】
【発明の効果】
請求項１の発明によれば、角度設定プレートの後部に固着されたペタル部材を踏み込むことによって、ロックプレートの矩形状の切欠き部内に位置する角度設定プレートの係脱孔及び摺動孔内でのみピンが相対的に移動可能な状態となっており、誤って折りたたまれる危険性がない。このように簡単な操作で安全にチルトでき、被介護者の背中などを洗う際には被介護者が前方へ滑り落ちる危険性がない。さらに、この車椅子を折りたたむには座部フレームを上方回動させ、ロックプレートによるロックを解除しなければならず、乗車している状態では折りたたむことができないよう構成されており、誤動作させる恐れがない。すなわち、簡単な構成でありながら、非常に安全な車椅子であるという効果を奏する。
【図面の簡単な説明】
【図１】  本発明に係る入浴介助用の車椅子の全体側面図
【図２】  その全体正面図
【図３】  その全体背面図
【図４】  チルトさせた状態を示す全体側面図
【図５】  折り畳んだ状態を示す全体側面図
【図６】  チルト手段及び折り畳み機構を示す要部拡大側面図
【図７】  チルト手段の作用説明図
【図８】  折りたたみ手段の作用説明図
【符号の説明】
１    車椅子
２    前輪
３    後輪
４    車体フレーム
５    背受フレーム
６    座部フレーム
７    チルト手段
８    折りたたみ手段（ロック解除手段）
２９  取付プレート
３１  角度設定プレート
３１ｂ  摺動孔
３１ｃ，３１ｄ，３１ｅ  係脱孔
３３  ピン
３４  ペタル部材
４０  作動杆
【図１】
0004169328.tif 000002
【図２】
0004169328.tif 000003
【図３】
0004169328.tif 000004
【図４】
0004169328.tif 000005
【図５】
0004169328.tif 000006
【図６】
0004169328.tif 000007
【図７】
0004169328.tif 000008
【図８】
0004169328.tif 000009